(57)【要約】【課題】電子機器の構成を簡素化することが可能な技術を提供する。【解決手段】電子機器は、電子機器を充電器に接続するための少なくとも一つの接続端子と、充電器によって充電される第１電池と、第１電池の第１出力電圧に基づいて、第１電池の第１電池容量を求める電池容量取得部と、第１電池容量を表示する表示部とを備える。充電器は、第２電池と、第２電池の第２出力電圧を昇圧して昇圧電圧を生成する昇圧回路とを備え、昇圧電圧に基づいて第１電池を充電する。少なくとも一つの接続端子は、第２出力電圧の入力用と他の用途とで兼用される兼用端子を含む。電池容量取得部は、兼用端子に入力される第２出力電圧に基づいて第２電池の第２電池容量を求める。表示部は、第１及び第２電池容量を表示する。【選択図】図１２
2016226080.tif 000002
【特許請求の範囲】
【請求項１】
充電器によって充電される電池を備える電子機器であって、
前記電子機器を前記充電器に接続するための少なくとも一つの接続端子と、
前記充電器によって充電される第１電池と、
前記第１電池の第１出力電圧に基づいて、前記第１電池の第１電池容量を求める電池容量取得部と、
前記第１電池容量を表示する表示部と
を備え、
前記充電器は、第２電池と、前記第２電池の第２出力電圧を昇圧して昇圧電圧を生成する昇圧回路とを備え、前記昇圧電圧に基づいて前記第１電池を充電し、
前記少なくとも一つの接続端子は、前記第２出力電圧の入力用と他の用途とで兼用される兼用端子を含み、
前記電池容量取得部は、前記兼用端子に入力される前記第２出力電圧に基づいて前記第２電池の第２電池容量を求め、
前記表示部は、前記第１及び第２電池容量を表示する、電子機器。
【請求項２】
請求項１に記載の電子機器であって、
前記兼用端子は、前記第２出力電圧の入力用と、前記昇圧回路の出力の制御用とで兼用される、電子機器。
【請求項３】
請求項１に記載の電子機器であって、
前記兼用端子は、前記第２出力電圧の入力用と、前記昇圧電圧の入力用とで兼用される、電子機器。
【請求項４】
電子機器が有する第１電池を充電する充電器であって、
前記充電器を前記電子機器に接続するための複数の接続端子と、
第２電池と、
前記第２電池の出力電圧を昇圧して昇圧電圧を生成する昇圧回路と
を備え、
前記複数の接続端子は、前記昇圧電圧を出力する第１接続端子と、前記出力電圧にプルアップされた第２接続端子とを含み、
前記昇圧回路には、前記第２接続端子の信号レベルが、前記昇圧回路の出力を制御するための制御信号として入力され、
前記電子機器は、前記第１及び第２接続端子にそれぞれ接続される第３及び第４接続端子を備え、前記第３接続端子から入力される前記昇圧電圧に基づいて前記第１電池を充電し、前記第４接続端子の状態を制御し、
前記電子機器が前記第４接続端子をハイインピーダンス状態に設定しているとき、前記第２接続端子からは前記出力電圧が出力される、充電器。
【請求項５】
請求項４に記載の充電器であって、
前記昇圧回路は、前記第４接続端子がハイインピーダンス状態に設定されて前記制御信号がＨｉｇｈレベルを示すとき、前記昇圧電圧を前記第１接続端子に出力する、充電器。
【請求項６】
請求項４及び請求項５のいずれか一つの記載の充電器であって、
前記制御信号が入力され、前記充電器の外部から供給される外部電圧に基づいて前記第２電池を充電する充電部をさらに備え、
前記充電部は、前記外部電圧が供給されている場合に、前記第４接続端子がハイインピーダンス状態に設定されて前記制御信号がＨｉｇｈレベルを示すとき、前記第２電池を充電しない、充電器。
【請求項７】
電子機器が有する第１電池を充電する充電器であって、
前記充電器を前記電子機器に接続するための複数の接続端子と、
第２電池と、
前記第２電池の出力電圧を昇圧して昇圧電圧を生成する昇圧回路と
を備え、
前記複数の接続端子は、第１及び第２接続端子を含み、
前記第２接続端子には、前記電子機器から出力される、前記昇圧回路の出力を制御するための制御信号が入力され、
前記制御信号に基づいて、前記昇圧電圧及び前記出力電圧の一方を選択して前記第１接続端子に出力する選択部をさらに備え、
前記電子機器は、前記第１接続端子に入力される前記昇圧電圧に基づいて前記第１電池を充電する、充電器。
【請求項８】
請求項７の記載の電子機器であって、
前記選択部は、
前記制御信号が第１状態のとき、前記昇圧電圧を前記第１接続端子に出力し、
前記制御信号が第２状態のとき、前記出力電圧を前記第１接続端子に出力し、
前記充電器の外部から供給される外部電圧に基づいて前記第２電池を充電する充電部をさらに備え、
前記充電部は、前記外部電圧が供給されている場合に、前記制御信号が前記第２状態のとき前記第２電池を充電しない、充電器。
【請求項９】
電子機器と、
充電器と
を備え、
前記電子機器は、
前記電子機器を前記充電器に接続するための少なくとも一つの接続端子と、
前記充電器によって充電される第１電池と、
前記第１電池の第１出力電圧に基づいて、前記第１電池の第１電池容量を求める電池容量取得部と、
前記第１電池容量を表示する表示部と
を備え、
前記充電器は、第２電池と、前記第２電池の第２出力電圧を昇圧して昇圧電圧を生成する昇圧回路とを備え、前記昇圧電圧に基づいて前記第１電池を充電し、
前記少なくとも一つの接続端子は、前記第２出力電圧の入力用と他の用途とで兼用される兼用端子を含み、
前記電池容量取得部は、前記兼用端子に入力される前記第２出力電圧に基づいて前記第２電池の第２電池容量を求め、
前記表示部は、前記第１及び第２電池容量を表示する、電子機器システム。
【請求項１０】
第１電池を有する電子機器と、
前記第１電池を充電する充電器と
を備え、
前記充電器は、
前記充電器を前記電子機器に接続するための複数の接続端子と、
第２電池と、
前記第２電池の出力電圧を昇圧して昇圧電圧を生成する昇圧回路と
を備え、
前記複数の接続端子は、前記昇圧電圧を出力する第１接続端子と、前記出力電圧にプルアップされた第２接続端子とを含み、
前記昇圧回路には、前記第２接続端子の信号レベルが、前記昇圧回路の出力を制御するための制御信号として入力され、
前記電子機器は、前記第１及び第２接続端子にそれぞれ接続される第３及び第４接続端子を備え、前記第３接続端子から入力される前記昇圧電圧に基づいて前記第１電池を充電し、前記第４接続端子の状態を制御し、
前記電子機器が前記第４接続端子をハイインピーダンス状態に設定しているとき、前記第２接続端子からは前記出力電圧が出力される、電子機器システム。
【請求項１１】
第１電池を有する電子機器と、
前記第１電池を充電する充電器と
を備え、
前記充電器は、
前記充電器を前記電子機器に接続するための複数の接続端子と、
第２電池と、
前記第２電池の出力電圧を昇圧して昇圧電圧を生成する昇圧回路と
を備え、
前記複数の接続端子は、第１及び第２接続端子を含み、
前記第２接続端子には、前記電子機器から出力される、前記昇圧回路の出力を制御するための制御信号が入力され、
前記充電器は、前記制御信号に基づいて、前記昇圧電圧及び前記出力電圧の一方を選択して前記第１接続端子に出力する選択部をさらに備え、
前記電子機器は、前記第１接続端子に入力される前記昇圧電圧に基づいて前記第１電池を充電する、電子機器システム。
【発明の詳細な説明】
【技術分野】
【０００１】
本発明は、電子機器に関する。
【背景技術】
【０００２】
特許文献１にも記載されているように、従来から電子機器に関して様々な技術が提案されている。
【先行技術文献】
【特許文献】
【０００３】
【特許文献１】特開２００８−１３１８１２号公報
【発明の概要】
【発明が解決しようとする課題】
【０００４】
電子機器の構成は簡素化されることが望まれる。
【０００５】
そこで、本発明は上述の点に鑑みて成されたものであり、電子機器の構成を簡素化することが可能な技術を提供することを目的とする。
【課題を解決するための手段】
【０００６】
電子機器、充電器及び電子機器システムが開示される。一の実施の形態では、電子機器は、電子機器を充電器に接続するための少なくとも一つの接続端子と、充電器によって充電される第１電池と、第１電池の第１出力電圧に基づいて、第１電池の第１電池容量を求める電池容量取得部と、第１電池容量を表示する表示部とを備える。充電器は、第２電池と、第２電池の第２出力電圧を昇圧して昇圧電圧を生成する昇圧回路とを備え、昇圧電圧に基づいて第１電池を充電する。少なくとも一つの接続端子は、第２出力電圧の入力用と他の用途とで兼用される兼用端子を含む。電池容量取得部は、兼用端子に入力される第２出力電圧に基づいて第２電池の第２電池容量を求める。表示部は、第１及び第２電池容量を表示する。
【０００７】
また、一の実施の形態では、充電器は、電子機器が有する第１電池を充電する充電器である。充電器は、充電器を電子機器に接続するための複数の接続端子と、第２電池と、第２電池の出力電圧を昇圧して昇圧電圧を生成する昇圧回路とを備える。複数の接続端子は、昇圧電圧を出力する第１接続端子と、出力電圧にプルアップされた第２接続端子とを含む。昇圧回路には、第２接続端子の信号レベルが、昇圧回路の出力を制御するための制御信号として入力される。電子機器は、第１及び第２接続端子にそれぞれ接続される第３及び第４接続端子を備える。電子機器は、第３接続端子から入力される昇圧電圧に基づいて第１電池を充電し、前記第４接続端子の状態を制御する。電子機器が第４接続端子をハイインピーダンス状態に設定しているとき、第２接続端子からは出力電圧が出力される。
【０００８】
また、一の実施の形態では、充電器は、電子機器が有する第１電池を充電する充電器である。充電器は、充電器を電子機器に接続するための複数の接続端子と、第２電池と、第２電池の出力電圧を昇圧して昇圧電圧を生成する昇圧回路とを備える。複数の接続端子は、第１及び第２接続端子を含む。第２接続端子には、電子機器から出力される、昇圧回路の出力を制御するための制御信号が入力される。充電器は、制御信号に基づいて、昇圧電圧及び出力電圧の一方を選択して第１接続端子に出力する選択部をさらに備える。電子機器は、第１接続端子に入力される昇圧電圧に基づいて第１電池を充電する。
【０００９】
また、一の実施の形態では、電子機器システムは、電子機器と、充電器とを備える。電子機器は、電子機器を充電器に接続するための少なくとも一つの接続端子と、充電器によって充電される第１電池と、第１電池の第１出力電圧に基づいて、第１電池の第１電池容量を求める電池容量取得部と、第１電池容量を表示する表示部とを備える。充電器は、第２電池と、第２電池の第２出力電圧を昇圧して昇圧電圧を生成する昇圧回路とを備える。充電器は、昇圧電圧に基づいて第１電池を充電する。少なくとも一つの接続端子は、第２出力電圧の入力用と他の用途とで兼用される兼用端子を含む。電池容量取得部は、兼用端子に入力される第２出力電圧に基づいて第２電池の第２電池容量を求める。表示部は、第１及び第２電池容量を表示する。
【００１０】
また、一の実施の形態では、電子機器システムは、第１電池を有する電子機器と、第１電池を充電する充電器とを備える。充電器は、充電器を電子機器に接続するための複数の接続端子と、第２電池と、第２電池の出力電圧を昇圧して昇圧電圧を生成する昇圧回路とを備える。複数の接続端子は、昇圧電圧を出力する第１接続端子と、出力電圧にプルアップされた第２接続端子とを含む。昇圧回路には、第２接続端子の信号レベルが、昇圧回路の出力を制御するための制御信号として入力される。電子機器は、第１及び第２接続端子にそれぞれ接続される第３及び第４接続端子を備える。電子機器は、第３接続端子から入力される昇圧電圧に基づいて第１電池を充電し、第４接続端子の状態を制御する。電子機器が第４接続端子をハイインピーダンス状態に設定しているとき、第２接続端子からは出力電圧が出力される。
【００１１】
また、一の実施の形態では、電子機器システムは、第１電池を有する電子機器と、第１電池を充電する充電器とを備える。充電器は、充電器を電子機器に接続するための複数の接続端子と、第２電池と、第２電池の出力電圧を昇圧して昇圧電圧を生成する昇圧回路とを備える。複数の接続端子は、第１及び第２接続端子を含む。第２接続端子には、電子機器から出力される、昇圧回路の出力を制御するための制御信号が入力される。充電器は、制御信号に基づいて、昇圧電圧及び出力電圧の一方を選択して第１接続端子に出力する選択部をさらに備える。電子機器は、第１接続端子に入力される昇圧電圧に基づいて第１電池を充電する。
【発明の効果】
【００１２】
電子機器の構成を簡素化することが可能である。
【図面の簡単な説明】
【００１３】
【図１】電子機器システムの外観を示す背面図である。
【図２】電子機器システムの外観を示す側面図である。
【図３】電子機器の外観を示す前面図である。
【図４】電子機器の外観を示す背面図である。
【図５】電子機器の外観を示す側面図である。
【図６】電子機器の外観を示す側面図である。
【図７】充電器の外観を示す前面図である。
【図８】充電器の外観を示す背面図である。
【図９】充電器の外観を示す側面図である。
【図１０】電子機器の構成を示すブロック図である。
【図１１】充電器の構成を示すブロック図である。
【図１２】電子機器の電源部及び制御部の構成を示すブロック図である。
【図１３】電子機器の動作を示すフローチャートである。
【図１４】電子機器の動作を示すフローチャートである。
【図１５】電池容量の表示例を示す図である。
【図１６】電池容量の表示例を示す図である。
【図１７】充電器の構成を示すブロック図である。
【図１８】電子機器の電源部及び制御部の構成を示すブロック図である。
【図１９】電子機器の動作を示すフローチャートである。
【発明を実施するための形態】
【００１４】
実施の形態１．
＜電子機器システムの外観＞
図１及び図２は実施の形態１に係る電子機器システム１の外観を示す図である。図１，２に示されるように、電子機器システム１は、電子機器２と、電子機器２に対して着脱可能な充電器３とを備えている。充電器３は「ジャケット３」とも呼ばれる。電子機器２は、例えば、スマートフォン等の携帯電話機である。図１，２には、充電器３が装着された電子機器２が示されている。充電器３は、例えば、電子機器２の背面２ｂ側に装着される。図１は、充電器３が装着された電子機器２がその背面２ｂ側から示されている。図２は、図１の矢視Ａから見た際の、充電器３が装着された電子機器２が示されている。
【００１５】
充電器３は、電子機器２が備える電池を充電することが可能である。充電器３には電池が設けられている。充電器３は、自身の電池の電力を電子機器２に供給することによって、電子機器２の電池を充電する。以後、充電器３が装着された電子機器２を「充電器付き電子機器２」と呼ぶことがある。
【００１６】
＜電子機器の外観＞
図３は電子機器２の外観を示す前面図である。図４は電子機器２の外観を示す背面図である。図５は図３の矢視Ｂから見た際の電子機器２の外観を示す側面図である。図６は図３の矢視Ｃから見た際の電子機器２の外観を示す側面図である。
【００１７】
図１〜６に示されるように、電子機器２は、平面視で略長方形の板状の機器ケース２０を備えている。電子機器２の前面２ａ、つまり機器ケース２０の前面には、文字、記号、図形等の各種情報が表示される表示領域２１が設けられている。表示領域２１の裏面あるいは表面には後述するタッチパネル２４０が貼り付けられている。これにより、ユーザは、電子機器２の前面２ａの表示領域２１を指等で操作することによって、電子機器２に対して各種情報を入力することができる。なお、ユーザは、指以外の操作子、例えば、スタイラスペンなどの静電式タッチパネル用ペンで表示領域２１を操作することによっても、電子機器２に対して各種情報を入力することができる。
【００１８】
機器ケース２０の前面の下側端部及び上側端部にはマイク穴２３及びレシーバ穴２２がそれぞれ設けられている。機器ケース２０の前面の上側端部からは、後述する前面側撮像部２８０が有する撮像レンズ２８１が視認可能となっている。また機器ケース２０の下側の側面２ｄには、図６に示されるように、ＵＳＢ（Universal Serial Bus）コネクタ２０６が設けられている。ＵＳＢコネクタ２０６にはＵＳＢケーブルが接続される。ＵＳＢコネクタ２０６には、ＡＣアダプター等からＵＳＢケーブルを介して外部電圧（外部電力）が供給される。電子機器２は、充電器３から供給される電力だけではなく、ＵＳＢコネクタ２０６に供給される外部電圧によっても電池を充電することができる。
【００１９】
図１，４に示されるように、電子機器２の背面２ｂ、つまり機器ケース２０の背面には、スピーカ穴２４が設けられている。機器ケース２０の背面からは、後述する裏面側撮像部２９０が有する撮像レンズ２９１が視認可能となっている。また機器ケース２０の背面には、電子機器２を充電器３に接続するための複数の接続端子２０７ｚから成る接続端子群２０７が設けられている。各接続端子２０７ｚは、金属等の導電性材料で構成されている。接続端子群２０７は、電子機器２に充電器３が装着されると、充電器３に設けられた後述の接続端子群３０７と接触する。これにより、電子機器２と充電器３とが電気的に接続される。接続端子群２０７は少なくとも一つの接続端子２０７ｚで構成されても良い。
【００２０】
＜充電器の外観＞
図７〜９は充電器３の外観を示す図である。図７には外側面３ａから見た際の充電器３が示されており、図８には内側面３ｂから見た際の充電器３が示されている。図９には図７の矢視Ｄから見た際の充電器３が示されている。
【００２１】
図１，２，７〜９に示されるように、充電器３は、その内側面３ｂが少し凹んだ浅い皿状となっている。充電器３は、平面視において、四隅が丸い長方形の上、下、左及び右の辺の中央部のそれぞれが凹んだ形状となっている。
【００２２】
充電器３では、中央部３０の四隅から４つの保持部３１〜３４がそれぞれ延びている。４つの保持部３１〜３４が、電子機器２（機器ケース２０）の四隅の角部をそれぞれ保持することによって、充電器３が電子機器２に装着される。図１に示されるように、保持部３１，３２，３３，３４は、電子機器２を背面２ｂ側から見た際の電子機器２の左上角部、右上角部、左下角部及び右下角部をそれぞれ保持する。例えば、４つの保持部３１〜３４は、それらの内側に設けられた爪部と、機器ケース２０の四隅の角部に設けられた凹部とが嵌合することによって、当該四隅の角部を保持する。
【００２３】
図８に示されるように、中央部３０の内側面の下側端部には、充電器３を電子機器２に接続するための複数の接続端子３０７ｚから成る接続端子群３０７が設けられている。各接続端子３０７ｚは、金属等の導電性材料で構成されている。充電器３が電子機器２に装着されると、充電器３の複数の接続端子３０７ｚが電子機器２の複数の接続端子２０７ｚとそれぞれ接触する。接続端子群３０７は少なくとも一つの接続端子３０７ｚで構成されても良い。
【００２４】
図２，９に示されるように、充電器３における、曲面となっている外側面３ａには、ＵＳＢコネクタ３０６が設けられている。具体的には、充電器３の保持部３４の外側面にはＵＳＢコネクタ３０６が設けられている。ＵＳＢコネクタ３０６にはＵＳＢケーブルが接続される。充電器付き電子機器２では、側面の方からＵＳＢケーブルがＵＳＢコネクタ３０６に接続可能となっている。ＵＳＢコネクタ３０６には、ＡＣアダプター等からＵＳＢケーブルを介して外部電圧が供給される。充電器３は、ＵＳＢコネクタ３０６に供給される外部電圧によって、自身の電池を充電することができる。
【００２５】
＜電子機器の電気的構成＞
図１０は電子機器２の電気的構成を主に示すブロック図である。図１０に示されるように、電子機器２には、電源部２００、制御部２１０、無線通信部２２０、表示パネル２３０及びタッチパネル２４０が設けられている。さらに電子機器２には、マイク２５０、レシーバ２６０、外部スピーカ２７０、前面側撮像部２８０及び裏面側撮像部２９０が設けられている。電子機器２に設けられたこれらの構成要素は、機器ケース２０内に収められている。
【００２６】
制御部２１０は、ＣＰＵ（Central Processing Unit）２１１、ＤＳＰ（Digital Signal Processor）２１２及び記憶部２１３等を備える制御回路である。制御部２１０は、電子機器２の他の構成要素を制御することによって、電子機器２の動作を統括的に管理する。
【００２７】
記憶部２１３は、ＲＯＭ（Read Only Memory）及びＲＡＭ（Random Access Memory）等の、制御部２１０（ＣＰＵ２１１及びＤＳＰ２１２）が読み取り可能な非一時的な記録媒体で構成されている。記憶部２１３には、電子機器２の動作、具体的には電子機器２が備える無線通信部２２０、表示パネル２３０等の各構成要素を制御するための各種プログラムが記憶されている。制御部２１０の各種機能は、ＣＰＵ２１１及びＤＳＰ２１２が記憶部２１３内の各種プログラムを実行することによって実現される。なお、記憶部２１３は、ＲＯＭ及びＲＡＭ以外の、コンピュータが読み取り可能な非一時的な記録媒体を備えていても良い。記憶部２１３は、例えば、小型のハードディスクドライブ及びＳＳＤ（Solid State Drive）等を備えていても良い。
【００２８】
無線通信部２２０は、アンテナ２２１を有している。無線通信部２２０は、電子機器２とは別の携帯電話機からの信号、あるいはインターネットに接続されたウェブサーバ等の通信装置からの信号を、基地局等を介してアンテナ２２１で受信する。無線通信部２２０は、受信信号に対して増幅処理及びダウンコンバートを行って制御部２１０に出力する。制御部２１０は、入力される受信信号に対して復調処理等を行って、当該受信信号に含まれる、音声や音楽などを示す音信号などを取得する。また無線通信部２２０は、制御部２１０で生成された、音信号等を含む送信信号に対してアップコンバート及び増幅処理を行って、処理後の送信信号をアンテナ２２１から無線送信する。アンテナ２２１からの送信信号は、基地局等を通じて、電子機器２とは別の携帯電話機あるいはインターネットに接続された通信装置で受信される。
【００２９】
表示パネル２３０は、例えば、液晶表示パネルあるいは有機ＥＬパネルである。表示パネル２３０は、制御部２１０によって制御されることによって、文字、記号、図形などの各種情報を表示する。表示パネル２３０は、機器ケース２０内において、表示領域２１と対向して配置されている。表示パネル２３０に表示される情報は表示領域２１に表示される。
【００３０】
タッチパネル２４０は、表示領域２１に対する指等の操作子による操作を検出する。タッチパネル２４０は、例えば、投影型静電容量方式のタッチパネルであって、表示領域２１の裏面に貼り付けられている。ユーザが指等の操作子によって表示領域２１に対して操作を行ったとき、その操作に応じた電気信号がタッチパネル２４０から制御部２１０に入力される。制御部２１０は、タッチパネル２４０からの電気信号に基づいて、表示領域２１に対して行われた操作の内容を特定して、その内容に応じた処理を行う。
【００３１】
マイク２５０は、電子機器２の外部から入力される音を電気的な音信号に変換して制御部２１０に出力する。電子機器２の外部からの音はマイク穴２３から電子機器２の内部に取り込まれてマイク２５０に入力される。
【００３２】
外部スピーカ２７０は、例えばダイナミックスピーカである。外部スピーカ２７０は、制御部２１０からの電気的な音信号を音に変換して出力する。外部スピーカ２７０から出力される音はスピーカ穴２４から外部に出力される。スピーカ穴２４から出力される音は、電子機器２から離れた場所でも聞こえるようになっている。
【００３３】
レシーバ２６０は受話音を出力する。レシーバ２６０は例えばダイナミックスピーカで構成されている。レシーバ２６０は、制御部２１０からの電気的な音信号を音に変換して出力する。レシーバ２６０から出力される音はレシーバ穴２２から外部に出力される。レシーバ穴２２から出力される音の音量は、スピーカ穴２４から出力される音の音量よりも小さくなっている。
【００３４】
前面側撮像部２８０は、撮像レンズ２８１及び撮像素子などで構成されている。前面側撮像部２８０は、制御部２１０による制御に基づいて、静止画像及び動画像を撮像する。裏面側撮像部２９０は、撮像レンズ２９１及び撮像素子などで構成されている。裏面側撮像部２９０は、制御部２１０による制御に基づいて、静止画像及び動画像を撮像する。
【００３５】
電源部２００は電子機器２の電源を出力する。電源部２００から出力される電源は、電子機器２が備える制御部２１０及び無線通信部２２０などの各種回路に対して供給される。電源部２００は、電池２０１を備えており、電池２０１の電力を電源として出力することが可能である。電池２０１は、充電器３が備える電池３０１の電力によって充電される。
【００３６】
＜充電器の電気的構成＞
図１１は充電器３の電気的構成を示すブロック図である。図１１に示されるように、充電器３は、電池３０１と、充電部３０２と、昇圧回路３０３と、抵抗素子３０４と、充電ＬＥＤ３０５と、ＵＳＢコネクタ３０６と、接続端子群３０７とを備えている。
【００３７】
充電部３０２は、ＵＳＢコネクタ３０６に供給される第１外部電圧ＥＶ１に基づいて電池３０１を充電する充電回路である。充電ＬＥＤ（Light Emitting Diode）３０５は、一種の発光部であって、充電部３０２によって制御される。充電ＬＥＤ３０５は電池３０１の充電中に点灯する。充電ＬＥＤ３０５は、その点灯状態が充電器３の外部から視認できるように充電器３に設けられている。
【００３８】
昇圧回路３０３は、一種のＤＣ・ＤＣコンバータであって、入力電圧を５Ｖまで昇圧し、それによって得られる昇圧電圧ＢＶを出力する。この昇圧電圧ＢＶ（５Ｖ）は、電池３０１の出力電圧ＶＢ１よりも高くなっている。満充電の電池３０１の出力電圧ＶＢ１は４．２Ｖ程度となっている。昇圧回路３０３は、その出力を停止することも可能である。
【００３９】
接続端子群３０７を構成する複数の接続端子３０７ｚは、ＶＤＤ端子３０７ａ、制御端子３０７ｂ及びＧＮＤ端子３０７ｃで構成されている。ＶＤＤ端子３０７ａは、昇圧回路３０３から出力される昇圧電圧ＢＶを充電器３の外部に出力する。制御端子３０７ｂは、電池３０１の出力電圧ＶＢ１にプルアップされている。具体的には、制御端子３０７ｂには、電池３０１の出力電圧ＶＢ１が抵抗素子３０４を介して与えられている。抵抗素子３０４は「プルアップ抵抗」と呼ばれる。制御端子３０７ｂの信号レベルは、昇圧回路３０３の出力を制御するための制御信号ＣＮＴとして昇圧回路３０３に入力される。制御端子３０７ｂの信号レベルは、後述するように、電子機器２の制御部２１０によって制御される。ＧＮＤ端子３０７ｄには充電器３での接地電位が接続される。
【００４０】
昇圧回路３０３は、動作モードとして、電池３０１の出力電圧ＶＢ１を昇圧して出力する昇圧モードと、動作を停止して出力を行わない停止モードとを備えている。昇圧回路３０３は、ＵＳＢコネクタ３０６に第１外部電圧ＥＶ１が供給されているときには、制御信号ＣＮＴの信号レベルにかかわらず、充電部３０２による制御によって停止モードで動作する。さらに、昇圧回路３０３は、Ｌｏｗレベルの制御信号ＣＮＴが入力されているときには停止モードで動作する。昇圧回路３０３が停止モードで動作しているときには、ＶＤＤ端子３０７ａから昇圧電圧ＢＶが出力されない。
【００４１】
また昇圧回路３０３は、ＵＳＢコネクタ３０６に第１外部電圧ＥＶ１が供給されておらず、かつＨｉｇｈレベルの制御信号ＣＮＴが入力されているときは、昇圧モードで動作する。昇圧回路３０３が昇圧モードで動作しているときには、ＶＤＤ端子３０７ａから昇圧電圧ＢＶが出力される。制御信号ＣＮＴは「イネーブル信号」とも呼ばれる。
【００４２】
充電部３０２は第１外部電圧ＥＶ１に基づいて電池３０１を充電することが可能である。充電部３０２は、ＵＳＢコネクタ３０６に第１外部電圧ＥＶ１が供給されており、かつ電池３０１が満充電でないとき、第１外部電圧ＥＶ１に基づいて電池３０１を充電する。ただし、充電部３０２は、制御信号ＣＮＴがＬｏｗレベルのときには電池３０１を充電しない。つまり、充電部３０２は、ＵＳＢコネクタ３０６に第１外部電圧ＥＶ１が供給され、かつ制御信号ＣＮＴがＬｏｗレベルであり、かつ電池３０１が満充電でないとき、第１外部電圧ＥＶ１に基づいて電池３０１を充電する。また充電部３０２は、ＵＳＢコネクタ３０６に第１外部電圧ＥＶ１が供給されている場合には、昇圧回路３０３の動作モードを停止モードに設定する。したがって、電池３０１が充電中のときには、ＶＤＤ端子３０７ａから昇圧電圧ＢＶが出力されない。充電部３０２は、電池３０１の充電中には、充電ＬＥＤ３０５を点灯させ、電池３０１の充電が完了すると、充電ＬＥＤ３０５を消灯させる。制御信号ＣＮＴがＬｏｗレベルのときには、電池３０１は充電されないことから、充電ＬＥＤ３０５は消灯する。
【００４３】
一方で、充電部３０２は、ＵＳＢコネクタ３０６に第１外部電圧ＥＶ１が供給されていないときには、電池３０１を充電せずに、昇圧回路３０３に対して電池３０１の出力電圧ＶＢ１を供給する。このとき、制御信号ＣＮＴがＨｉｇｈレベルであり昇圧回路３０３が昇圧モードで動作するときには、ＶＤＤ端子３０７ａから昇圧電圧ＢＶが出力される。
【００４４】
＜電子機器の電源部の構成＞
図１２は、電子機器２の電源部２００の構成と、制御部２１０の構成の一部とを示す図である。図１２に示されるように、電源部２００は、電池２０１と、充電部（充電回路）２０２と、降圧回路２０３と、ＵＳＢコネクタ２０６と、接続端子群２０７とを備えている。制御部２１０は、端子制御部２１０ａと、ＡＤコンバータ２１０ｂと、電池容量取得部２１０ｃと、表示パネル２３０を制御する表示制御部２１０ｄとを備える。
【００４５】
接続端子群２０７を構成する複数の接続端子２０７ｚは、ＶＤＤ端子２０７ａ、制御端子２０７ｂ及びＧＮＤ端子２０７ｃで構成されている。ＶＤＤ端子２０７ａは、充電器３のＶＤＤ端子３０７ａと接触する。ＶＤＤ端子２０７ａには、充電器３から出力される昇圧電圧ＢＶが入力される。制御端子２０７ｂは、充電器３の制御端子３０７ｂと接触する。制御端子２０７ｂの状態は、制御部２１０が有する端子制御部２１０ａによって制御される。ＧＮＤ端子２０７ｃは、充電器３のＧＮＤ端子３０７ｃと接触する。ＧＮＤ端子２０７ｃには、電子機器２での接地電位が接続される。
【００４６】
充電部２０２は、ＵＳＢコネクタ２０６に供給される第２外部電圧ＥＶ２に基づいて電池２０１を充電することが可能である。さらに、充電部２０２は、ＶＤＤ端子２０７ａに入力される昇圧電圧ＢＶに基づいて電池２０１を充電することが可能である。充電部２０２が昇圧電圧ＢＶに基づいて電池２０１を充電することによって、電池２０１が充電器３によって充電される。
【００４７】
また充電部２０２は、ＵＳＢコネクタ２０６に供給される第２外部電圧ＥＶ２を、降圧回路２０３に入力することが可能である。さらに、充電部２０２は、電池２０１の出力電圧ＶＢ２を降圧回路２０３に入力することが可能である。以後、電池２０１の出力電圧ＶＢ２を「端末側電池電圧ＶＢ２」と呼ぶことがある。また、充電器３の電池３０１の出力電圧ＶＢ１を「充電器側電池電圧ＶＢ１」と呼ぶことがある。
【００４８】
降圧回路２０３は、一種のＤＣ・ＤＣコンバータであって、入力電圧を降圧して複数種類の降圧電圧を生成する。降圧回路２０３で生成される複数種類の降圧電圧は、ＣＰＵ２１１、ＤＳＰ２１２、記憶部２１３、無線通信部２２０及び表示パネル２３０等に対して電源電圧として供給される。
【００４９】
制御部２１０の端子制御部２１０ａは、制御端子２０７ｂを、ハイインピーダンス状態およびＬｏｗレベルのどちらか一方に設定する。ここでのハイインピーダンス状態とは、充電器３が電子機器２に取り付けられていない状態での制御端子２０７ｂの電気的状態である。つまり、ハイインピーダンス状態とは、制御端子２０７ｂが充電器３の制御端子３０７ｂに接触していない状態での制御端子２０７ｂの電気的状態である。したがって、ハイインピーダンス状態に設定されている制御端子２０７ｂが、充電器側電池電圧ＶＢ１にプルアップされている制御端子３０７ｂに接触しているときには、制御端子３０７ｂ及び制御端子２０７ｂには、充電器側電池電圧ＶＢ１が入力される。制御端子３０７ｂ及び制御端子２０７ｂに充電器側電池電圧ＶＢ１が入力される場合には、制御信号ＣＮＴはＨｉｇｈレベルとなる。よって、制御端子２０７ｂがハイインピーダンス状態に設定されているときには、ＶＤＤ端子２０７ａには昇圧電圧ＢＶが入力される。
【００５０】
一方で、制御端子２０７ｂがＬｏｗレベルに設定されているときには、制御端子２０７ｂに接触している制御端子３０７ｂの信号レベルはＬｏｗレベルとなる。したがって、制御信号ＣＮＴはＬｏｗレベルとなる。よって、制御端子２０７ｂがＬｏｗレベルに設定されているときには、ＶＤＤ端子２０７ａには昇圧電圧ＢＶが入力されない。
【００５１】
このように、電子機器２は、制御端子２０７ｂの電気的状態を制御することによって制御信号ＣＮＴを制御する。つまり、制御部２１０は、制御端子２０７ｂの電気的状態を制御することによって、昇圧回路３０３に昇圧電圧ＢＶを出力させたり出力させなかったりすることができる。制御部２１０は、基本的には、制御端子２０７ｂをＬｏｗレベルに設定し、必要に応じて制御端子２０７ｂをハイインピーダンス状態に設定する。例えば、充電部２０２が電池２０１を充電するときに、制御部２１０は、制御端子２０７ｂをハイインピーダンス状態に設定して、昇圧電圧ＢＶをＶＤＤ端子２０７ａに入力させる。
【００５２】
＜電子機器の電池の充電動作について＞
＜電子機器に外部電圧が供給されている場合＞
以下に、電子機器２のＵＳＢコネクタ２０６に第２外部電圧ＥＶ２が供給されているときの電池２０１の充電動作について説明する。
【００５３】
充電部２０２は、電池２０１が満充電でないとき、第２外部電圧ＥＶ２に基づいて電池２０１を充電するとともに、第２外部電圧ＥＶ２を降圧回路２０３に供給する。一方で、充電部２０２は、電池２０１が満充電のときには、電池２０１を充電せずに、第２外部電圧ＥＶ２を降圧回路２０３に出力する。
【００５４】
このように、電子機器２に対して第２外部電圧ＥＶ２が供給されている場合には、充電部２０２は、充電器３の電力を使用せずに、第２外部電圧ＥＶ２に基づいて電池２０１の充電等を行う。
【００５５】
＜電子機器に外部電圧が供給されていない場合＞
以下に、電子機器２に第２外部電圧ＥＶ２が供給されていないときの電池２０１の充電動作について説明する。この場合の充電動作は、充電器３に第１外部電圧ＥＶ１が供給されているか否かで異なる。
【００５６】
＜充電器に外部電圧が供給されている場合＞
上述のように、充電器３に第１外部電圧ＥＶ１が供給されている場合には、昇圧回路３０３の出力は停止する。したがって、充電器３からは昇圧電圧ＢＶが出力されない。充電部２０２は、ＶＤＤ端子２０７ａの電圧を検出し、検出した電圧がしきい値以下であれば、電子機器２に昇圧電圧ＢＶが供給されていないと判定する。一方で、充電部２０２は、ＶＤＤ端子２０７ａの電圧がしきい値よりも大きければ、電子機器２に昇圧電圧ＢＶが供給されていると判定する。充電部２０２は、電子機器２に昇圧電圧ＢＶが供給されていないと判定すると、端末側電池電圧ＶＢ２を降圧回路２０３に供給する。
【００５７】
このように、電子機器２に対して第２外部電圧ＥＶ２が供給されておらず、充電器３に第１外部電圧ＥＶ１が供給されている場合には、充電部２０２は、電池２０１を充電せずに、端末側電池電圧ＶＢ２を降圧回路２０３に供給する。
【００５８】
＜充電器に外部電圧が供給されていない場合＞
充電器３に第１外部電圧ＥＶ１が供給されていないときには、充電部２０２は、ＶＤＤ端子２０７ａから入力される昇圧電圧ＢＶに基づいて電池２０１を充電するとともに、昇圧電圧ＢＶを降圧回路２０３に供給する。
【００５９】
充電部２０２は、電池２０１が満充電のとき、電池２０１を充電せずに、昇圧電圧ＢＶを降圧回路２０３に出力する。一方で、充電部２０２は、電池２０１が満充電でないとき、充電器３からの昇圧電圧ＢＶに基づいて電池２０１を充電するとともに、昇圧電圧ＢＶを降圧回路２０３に供給する。
【００６０】
このように、電子機器２に対して第２外部電圧ＥＶ２が供給されておらず、充電器３に第１外部電圧ＥＶ１が供給されていない場合には、充電部２０２は、充電器３からの昇圧電圧ＢＶに基づいて電池２０１の充電等を行う。
【００６１】
＜電子機器での電池容量の表示＞
電子機器２では、電池２０１の電池容量が表示される。また充電器付き電子機器２では、電池２０１の電池容量だけではなく、充電器３の電池３０１の電池容量が表示される。以後、電池２０１の電池容量を「端末側電池容量」と呼ぶことがある。また、充電器３の電池３０１の電池容量を「充電器側電池容量」と呼ぶことがある。
【００６２】
図１３は、電子機器２が端末側電池容量を求める際の当該電子機器２の動作を示すフローチャートである。図１３に示されるように、ステップｓ１において、制御部２１０のＡＤコンバータ２１０ｂは、端末側電池電圧ＶＢ２をアナログ値からデジタル値に変換する。次にステップｓ２において、電池容量取得部２１０ｃは、ＡＤコンバータ２１０ｂで得られた端末側電池電圧ＶＢ２のデジタル値に基づいて、現在の端末側電池容量を求める。電池容量は「電池残量」とも呼ばれる。
【００６３】
次にステップｓ３において、表示制御部２１０ｄは、電池容量取得部２１０ｃで求められた端末側電池容量を表示パネル２３０に表示させる。表示パネル２３０に表示される端末側電池容量は電子機器２の前面の表示領域２１に表示される。
【００６４】
その後、電子機器２は、ステップｓ１を再度実行し、以後同様に動作する。電子機器２は、ステップｓ１〜ｓ３の一連の処理を、例えば定期的に実行する。これにより、表示領域２１に表示される端末側電池容量は常に最新の値に更新される。
【００６５】
図１４は、充電器付き電子機器２が充電器側電池容量を求める際の当該充電器付き電子機器２の動作を示すフローチャートである。図１４に示されるように、ステップｓ１１において、端子制御部２１０ａは、制御端子２０７ｂをハイインピーダンス状態に設定する。次にステップｓ１２において、ＡＤコンバータ２１０ｂは、制御端子２０７ｂに入力される充電器側電池電圧ＶＢ１をアナログ値からデジタル値に変換する。
【００６６】
次にステップｓ１３において、電池容量取得部２１０ｃは、ＡＤコンバータ２１０ｂで得られた充電器側電池電圧ＶＢ１のデジタル値に基づいて、現在の充電器側電池容量を求める。次にステップｓ１４において、表示制御部２１０ｄは、電池容量取得部２１０ｃで求められた充電器側電池容量を表示パネル２３０に表示させる。表示パネル２３０に表示される充電器側電池容量は表示領域２１に表示される。
【００６７】
その後、電子機器２は、ステップｓ１１を再度実行し、以後同様に動作する。電子機器２は、ステップｓ１１〜ｓ１４の一連の処理を、例えば定期的に実行する。これにより、表示領域２１に表示される充電器側電池容量は常に最新の値に更新される。
【００６８】
このように、電子機器２は、端末側電池容量及び充電器側電池容量を求めて表示することが可能である。これにより、充電器３が取り付けられていない電子機器２の表示領域２１には端末側電池容量が表示され、充電器付き電子機器２の表示領域２１には端末側電池容量及び充電器側電池容量の両方が表示される。
【００６９】
図１５は充電器３が取り付けられていない電子機器２での端末側電池容量の表示例を示す図である。図１６は、充電器付き電子機器２での端末側電池容量及び充電器側電池容量の表示例を示す図である。
【００７０】
図１５，１６に示されるように、電子機器２の表示領域２１には、例えば、現在の端末側電池容量を示す図形５００が表示される。また図１６に示されるように、充電器付き電子機器２の表示領域２１には、例えば、現在の充電器側電池容量を示す図形５１０と、当該図形５１０がジャケット３（充電器３）の電池３０１の電池容量を示すことをユーザに通知するための文字５１１とが表示される。図１６の例では、文字５１１として「Ｊ」が示されている。
【００７１】
なお、電池２０１，３０１の電池容量の表示態様は、図１５，１６に示される表示態様に限られない。例えば、表示パネル２３０には、最大電池容量（満充電時の電池容量）に対する現在の電池容量の比率（例えばパーセンテージ）が表示されても良い。
【００７２】
また、充電器付き電子機器２は、上述のステップｓ１２において、端末側電池電圧をアナログ値からデジタル値に変換しても良い。そして、充電器付き電子機器２は、ステップｓ１３において、ステップｓ１２で求めた端末側電池電圧のデジタル値に基づいて端末側電池容量を求めて、ステップｓ１４において、求めた端末側電池容量を表示しても良い。
【００７３】
以上のように、電子機器２では、充電器側電池電圧ＶＢ１の入力用と他の用途とで兼用される兼用端子である制御端子２０７ｂが設けられている。上記の例では、制御端子２０７ｂは、充電器側電池電圧ＶＢ１の入力用と、昇圧回路３０３の出力の制御用とで兼用されている。したがって、電子機器２は、簡単な構成で、自身の電池２０１の電池容量だけではなく、充電器３の電池３０１の電池容量を表示することができる。よって、電子機器２の構成が簡素化される。
【００７４】
また上記の例では、制御端子２０７ｂがハイインピーダンス状態に設定されている場合には、つまり制御端子２０７ｂに充電器側電池電圧ＶＢ１が入力されている場合には、昇圧回路３０３から昇圧電圧ＢＶが出力される。したがって、電子機器２は、昇圧電圧ＢＶに基づいて電池２０１を充電しているときにも、充電器側電池容量を求めて表示することができる。
【００７５】
なお、昇圧回路３０３は、制御信号ＣＮＴがＨｉｇｈレベルに設定されている場合に停止モードで動作し、制御信号ＣＮＴがＬｏｗレベルに設定されている場合に昇圧モードで動作しても良い。この場合には、電子機器２は、昇圧電圧ＢＶに基づいて電池２０１を充電している際に充電器側電池容量を求めるときには、制御端子２０７ｂの状態をＬｏｗレベルからハイインピーダンス状態に変更して電池２０１の充電を一旦中断する必要がある。そして、電子機器２は、充電器側電池容量を求めた後、制御端子２０７ｂの状態をハイインピーダンス状態からＬｏｗレベルに変更して、昇圧電圧ＢＶに基づく電池２０１の充電を再開する。
【００７６】
また上記の例では、充電器３の充電部３０２は、制御信号ＣＮＴがＨｉｇｈレベルを示すとき電池３０１を充電しない。これにより、充電器３の電池３０１が充電されているときに電子機器２が端末側電池容量を求める可能性を低減することができる。電池３０１が第１外部電圧ＥＶ１に基づいて充電されているとき、端末側電池容量を正しく求めることは困難であることから、電池３０１が充電されているときに端末側電池容量が求められる可能性を低減することによって、端末側電池容量をより正確に求めることが可能となる。
【００７７】
さらに、充電部３０２は、昇圧回路３０３の出力を制御するための制御信号ＣＮＴがＨｉｇｈレベルを示すときに電池３０１を充電しないことから、電池３０１の充電中に端末側電池容量が求められる可能性を低減するための新たな構成は必要とされない。例えば、充電器３での電池３０１の充電を許可／不許可にするための制御信号を電子機器２は充電器３に出力する必要はない。よって、簡単な構成で、電池３０１の充電中に端末側電池容量が求められる可能性を低減することができる。
【００７８】
実施の形態２．
図１７は実施の形態２に係る電子機器システム１の充電器３の構成を示す図である。図１８は実施の形態２に係る電子機器システム１の電子機器２の一部の構成を示す図である。実施の形態２に係る電子機器２及び充電器３の外観は、実施の形態１に係る電子機器２及び充電器３の外観と同様である。以下に、実施の形態１に係る電子機器システム１との相違点を中心に、実施の形態２に係る電子機器システム１について説明する。
【００７９】
図１７に示されるように、実施の形態２に係る充電器３は、実施の形態１と比較して、抵抗素子３０４の代わりに選択部３０８を備えている。選択部３０８は、昇圧回路３０３から出力される昇圧電圧ＢＶ及び充電器側電池電圧ＶＢ１の一方を選択してＶＤＤ端子３０７ａに出力する選択回路である。
【００８０】
実施の形態２では、制御端子３０７ｂには、電子機器２から出力される、昇圧回路３０３の出力を制御するための制御信号ＣＮＴが入力される。昇圧回路３０３は、実施の形態１と同様に、制御信号ＣＮＴがＨｉｇｈレベルのとき昇圧モードで動作し、制御信号ＣＮＴがＬｏｗレベルのとき停止モードで動作する。なお、昇圧回路３０３は、制御信号ＣＮＴがＬｏｗレベルのとき昇圧モードで動作し、制御信号ＣＮＴがＨｉｇｈレベルのとき停止モードで動作しても良い。
【００８１】
制御端子３０７ｂに入力される制御信号ＣＮＴは選択部３０８にも入力される。選択部３０８は、制御信号ＣＮＴに基づいて、昇圧電圧ＢＶ及び充電器側電池電圧ＶＢ１の一方を選択してＶＤＤ端子３０７ａに出力する。具体的には、選択部３０８は、制御信号ＣＮＴがＨｉｇｈレベルのとき、つまり昇圧回路３０３が昇圧モードで動作するとき、昇圧回路３０３から出力される昇圧電圧ＢＶをＶＤＤ端子３０７ａに出力する。一方で、選択部３０８は、制御信号ＣＮＴがＬｏｗレベルのとき、つまり昇圧回路３０３が停止モードで動作するとき、充電器側電池電圧ＶＢ１をＶＤＤ端子３０７ａに出力する。
【００８２】
制御端子３０７ｂに入力される制御信号ＣＮＴは充電部３０２にも入力される。充電部３０２は、実施の形態１とは異なり、制御信号ＣＮＴがＬｏｗレベルのとき、電池３０１を充電しない。
【００８３】
実施の形態２に係る電子機器２では、図１８に示されるように、制御部２１０は、実施の形態１と比較して、端子制御部２１０ａの代わりに生成部２１０ｅを備える。生成部２１０ｅは、制御信号ＣＮＴを生成して制御端子２０７ｂに入力する。
【００８４】
＜電子機器での電池容量の表示＞
次に電子機器２が充電器側電池容量を求める際の当該電子機器２の動作について説明する。図１９は当該動作を示すフローチャートである。なお、電子機器２が端末側電池容量を求める際の当該電子機器２の動作は実施の形態１と同様である。
【００８５】
図１９に示されるように、ステップｓ２１において、生成部２１０ｅは、制御信号ＣＮＴの信号レベルをＬｏｗレベルに設定する。これにより、充電器３の選択部３０８にはＬｏｗレベルの制御信号ＣＮＴが入力され、選択部３０８からは充電器側電池電圧ＶＢ１が出力される。
【００８６】
次にステップｓ２２において、ＡＤコンバータ２１０ｂは、ＶＤＤ端子２０７ａに入力される充電器側電池電圧ＶＢ１をアナログ値からデジタル値に変換する。次にステップｓ２３において、電池容量取得部２１０ｃは、ＡＤコンバータ２１０ｂで得られた充電器側電池電圧ＶＢ１のデジタル値に基づいて、現在の充電器側電池容量を求める。次にステップｓ２４において、表示制御部２１０ｄは、電池容量取得部２１０ｃで求められた充電器側電池容量を表示パネル２３０に表示させる。
【００８７】
その後、充電器付き電子機器２は、ステップｓ２１を再度実行し、以後同様に動作する。充電器付き電子機器２は、ステップｓ２１〜ｓ２４の一連の処理を、例えば定期的に実行する。これにより、表示領域２１に表示される充電器側電池容量は常に最新の値に更新される。
【００８８】
実施の形態２では、制御信号ＣＮＴがＬｏｗレベルのとき、電子機器２には昇圧電圧ＢＶが供給されない。したがって、充電部２０２は、電池２０１を充電している場合に制御信号ＣＮＴがＨｉｇｈレベルからＬｏｗレベルに変化すると、電池２０１の充電を一旦停止する。制御部２１０は、制御信号ＣＮＴをＬｏｗレベルに設定して充電器側電池容量を求めると、制御信号ＣＮＴをＬｏｗレベルからＨｉｇｈレベルに変更する。充電部２０２は、制御信号ＣＮＴがＨｉｇｈレベルに戻ると、電池２０１の充電を再開する。
【００８９】
以上のように、電子機器２では、充電器側電池電圧ＶＢ１の入力用と他の用途とで兼用される兼用端子であるＶＤＤ端子２０７ａが設けられている。上記の例では、ＶＤＤ端子２０７ａは、充電器側電池電圧ＶＢ１の入力用と、昇圧電圧ＢＶの入力用とで兼用されている。したがって、電子機器２は、簡単な構成で、自身の電池２０１の電池容量だけではなく、充電器３の電池３０１の電池容量を表示することができる。よって、電子機器２の構成が簡素化される。
【００９０】
また、充電器３の充電部３０２は、制御信号ＣＮＴがＬｏｗレベルを示すとき電池３０１を充電しない。これにより、充電器３の電池３０１が充電されているときに電子機器２が端末側電池容量を求める可能性を低減することができる。よって、実施の形態１と同様に、端末側電池容量をより正確に求めることが可能となる。
【００９１】
さらに、充電部３０２は、昇圧回路３０３の出力を制御するための制御信号ＣＮＴがＬｏｗレベルを示すときに電池３０１を充電しないことから、実施の形態１と同様に、電池３０１の充電中に端末側電池容量が求められる可能性を低減するための新たな構成は必要とされない。よって、簡単な構成で、電池３０１の充電中に端末側電池容量が求められる可能性を低減することができる。
【００９２】
以上のように、電子機器システム１は詳細に説明されたが、上記した説明は、全ての局面において例示であって、この開示がそれに限定されるものではない。また、上述した各種変形例は、相互に矛盾しない限り組み合わせて適用可能である。そして、例示されていない無数の変形例が、この開示の範囲から外れることなく想定され得るものと解される。
【符号の説明】
【００９３】
１  電子機器システム
２  電子機器
３  充電器
２０１，３０１  電池
２０７ａ  ＶＤＤ端子
２０７ｂ  制御端子
２１０ｃ  電池容量取得部
２３０  表示パネル
３０３  昇圧回路
【図１】
2016226080.tif 000003
【図２】
2016226080.tif 000004
【図３】
2016226080.tif 000005
【図４】
2016226080.tif 000006
【図５】
2016226080.tif 000007
【図６】
2016226080.tif 000008
【図７】
2016226080.tif 000009
【図８】
2016226080.tif 000010
【図９】
2016226080.tif 000011
【図１０】
2016226080.tif 000012
【図１１】
2016226080.tif 000013
【図１２】
2016226080.tif 000014
【図１３】
2016226080.tif 000015
【図１４】
2016226080.tif 000016
【図１５】
2016226080.tif 000017
【図１６】
2016226080.tif 000018
【図１７】
2016226080.tif 000019
【図１８】
2016226080.tif 000020
【図１９】
2016226080.tif 000021